(57)【要約】【課題】デシカント空調機を併用した空調制御において、省エネルギーと快適性の両立を図る。【解決手段】ヒートポンプ型の空調機とデシカント空調機とを併用して空調制御される店内の現在の室内熱負荷を算出する。算出した現在の室内熱負荷を賄うようにヒートポンプ型の空調機とデシカント空調機とを併用して空調制御した場合のエネルギー消費量と店内の快適度との関係を示すエネルギー消費量予想曲線（ＥＮ１，ＥＮ２，ＥＮ３）をヒートポンプ型の空調機とデシカント空調機との予め定められた運転比率（３：１、１：２、１：３）毎に作成し、表示する。店内のＰＭＶの現在位置を黒三角マークＭ１で明示する。ＰＭＶの現在位置におけるエネルギー消費量予想曲線上の予測値を参照することにより、エネルギーの消費量を最小とすることのできる現時点における運転比率を知ることができる。【選択図】　　　　図３
2004060978.tif 000002
【特許請求の範囲】
【請求項１】
ヒートポンプ型の空調機と，吸湿剤を用いて空気中の湿分を取り除く除湿機能を備えたデシカント空調機とを併用して空調制御される空調制御対象室の現在の室内熱負荷を算出する室内熱負荷算出手段と、
この室内熱負荷算出手段により算出された現在の室内熱負荷を賄うように前記ヒートポンプ型の空調機と前記デシカント空調機とを併用して空調制御した場合のエネルギー消費量と前記空調制御対象室内の快適度との関係を示すエネルギー消費量予想曲線を、前記ヒートポンプ型の空調機と前記デシカント空調機との予め定められた運転比率毎に作成し表示するエネルギー消費量予想曲線作成表示手段と、
このエネルギー消費量予想曲線作成表示手段が表示するエネルギー消費量予想曲線に対して前記空調制御対象室内の快適度の現在位置を明示する快適度現在位置明示手段と
を備えたことを特徴とする空調制御支援装置。
【請求項２】
ヒートポンプ型の空調機と，吸湿剤を用いて空気中の湿分を取り除く除湿機能を備えたデシカント空調機とを併用して空調制御される空調制御対象室の現在の室内熱負荷を算出する室内熱負荷算出手段と、
この室内熱負荷算出手段により算出された現在の室内熱負荷を賄うように前記ヒートポンプ型の空調機と前記デシカント空調機とを併用して空調制御した場合のエネルギー消費量と前記空調調制御対象室内の快適度との関係を示すエネルギー消費量予想曲線を、前記ヒートポンプ型の空調機と前記デシカント空調機との予め定められた運転比率毎に作成し表示するエネルギー消費量予想曲線作成表示手段と、
前記エネルギー消費量予想曲線作成表示手段が表示するエネルギー消費量予想曲線に対して前記空調制御対象室内の快適度の現在位置を明示する快適度現在位置明示手段と、
所望の快適度が前記空調制御対象室に対する設定快適度として確定された場合、その確定された快適度におけるエネルギー消費量の予測値が最も小さいエネルギー消費量予想曲線を最適エネルギー消費量予想曲線として選択し、この選択した最適エネルギー消費量予想曲線の運転比率で前記ヒートポンプ型の空調機と前記デシカント空調機とを運転する空調機運転手段と
を備えたことを特徴とする空調制御支援装置。
【請求項３】
ヒートポンプ型の空調機と，吸湿剤を用いて空気中の湿分を取り除く除湿機能を備えたデシカント空調機とを併用して空調制御される空調制御対象室の現在の室内熱負荷を算出する室内熱負荷算出手段と、
この室内熱負荷算出手段により算出された現在の室内熱負荷を賄うように前記ヒートポンプ型の空調機と前記デシカント空調機とを併用して空調制御した場合のエネルギー消費量と前記空調制御対象室内の快適度との関係を示すエネルギー消費量予想曲線を、前記ヒートポンプ型の空調機と前記デシカント空調機との予め定められた運転比率毎に作成するエネルギー消費量予想曲線作成手段と、
前記空調制御対象室に対して予め設定されている快適度範囲においてそのエネルギー消費量の予測値が最も小さいエネルギー消費量予想曲線を最適エネルギー消費量予想曲線として選択し、この選択した最適エネルギー消費量予想曲線の前記快適度範囲における最小予測値に対応する位置の快適度を前記空調制御対象室に対する設定快適度とするとともに、前記最適エネルギー消費量予想曲線の運転比率で前記ヒートポンプ型の空調機と前記デシカント空調機とを運転する空調機運転手段と
を備えたことを特徴とする空調制御装置。
【請求項４】
ヒートポンプ型の空調機と，吸湿剤を用いて空気中の湿分を取り除く除湿機能を備えたデシカント空調機とを併用して空調制御される空調制御対象室の現在の室内熱負荷を算出する室内熱負荷算出手段と、
この室内熱負荷算出手段により算出された現在の室内熱負荷を賄うように前記ヒートポンプ型の空調機と前記デシカント空調機とを併用して空調制御した場合のエネルギー消費量と前記空調制御対象室内の快適度との関係を示すエネルギー消費量予想曲線を、前記ヒートポンプ型の空調機と前記デシカント空調機との予め定められた運転比率毎に作成するエネルギー消費量予想曲線作成手段と、
１日を複数の時間帯に分割した第１の時間帯では予め定められた高快適度の快適度範囲を前記空調制御対象室に対する所望の快適度範囲とし、１日を複数の時間帯に分割した第２の時間帯では予め定められた低快適度の快適度範囲を前記空調制御対象室に対する所望の快適度範囲とする快適度範囲設定手段と、
この快適度範囲設定手段によって設定される所望の快適度範囲においてそのエネルギー消費量の予測値が最も小さいエネルギー消費量予想曲線を最適エネルギー消費量予想曲線として選択し、この選択した最適エネルギー消費量予想曲線の前記所望の快適度範囲における最小予測値に対応する快適度を前記空調制御対象室に対する設定快適度とするとともに、前記最適エネルギー消費量予想曲線の運転比率で前記ヒートポンプ型の空調機と前記デシカント空調機とを運転する空調機運転手段と
を備えたことを特徴とする空調制御装置。
【請求項５】
センタに設けられた中央監視装置と、
ヒートポンプ型の空調機と，吸湿剤を用いて空気中の湿分を取り除く除湿機能を備えたデシカント空調機とを併用して空調制御される第１〜第Ｎ（Ｎ≧２）の空調制御対象室と、
この第１〜第Ｎの空調制御対象室に対して各個に設けられた第１〜第Ｎの端末装置と、
前記中央監視装置と前記第１〜第Ｎの端末装置とを接続するネットワークとを備えた空調制御支援システムであって、
前記中央監視装置は、
前記第１〜第Ｎの空調制御対象室について、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線を、前記ヒートポンプ型の空調機と前記デシカント空調機との予め定められた運転比率毎に作成し表示するエネルギー消費量予想曲線作成表示手段と、
このエネルギー消費量予想曲線作成表示手段が表示する前記第１〜第Ｎの空調制御対象室のエネルギー消費量予想曲線に対してその空調制御対象室内の快適度の現在位置を明示する快適度現在位置明示手段と
を備えたことを特徴とする空調制御支援システム。
【請求項６】
センタに設けられた中央監視装置と、
ヒートポンプ型の空調機と，吸湿剤を用いて空気中の湿分を取り除く除湿機能を備えたデシカント空調機とを併用して空調制御される第１〜第Ｎ（Ｎ≧２）の空調制御対象室と、
この第１〜第Ｎの空調制御対象室に対して各個に設けられた第１〜第Ｎの端末装置と、
前記中央監視装置と前記第１〜第Ｎの端末装置とを接続するネットワークとを備えた空調制御システムであって、
前記中央監視装置は、
前記第１〜第Ｎの空調制御対象室について、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線を、前記ヒートポンプ型の空調機と前記デシカント空調機との予め定められた運転比率毎に作成するエネルギー消費量予想曲線作成手段と、
前記第１〜第Ｎの空調制御対象室に対して予め設定されている第１〜第Ｎの快適度範囲においてそのエネルギー消費量の予測値が最も小さいエネルギー消費量予想曲線を第１〜第Ｎの最適エネルギー消費量予想曲線として選択し、この選択した第１〜第Ｎの最適エネルギー消費量予想曲線の前記第１〜第Ｎの快適度範囲における最小予測値に対応する快適度を前記第１〜第Ｎの空調制御対象室に対する設定快適度とするとともに、前記第１〜第Ｎの最適エネルギー消費量予想曲線の運転比率で前記第１〜第Ｎの空調制御対象室に対して各個に設けられたヒートポンプ型の空調機とデシカント空調機とを運転する空調機運転手段と
を備えたことを特徴とする空調制御システム。
【発明の詳細な説明】
【０００１】
【発明の属する技術分野】
この発明は、空調制御支援装置、空調制御装置、空調制御支援システムおよび空調制御システムに関し、特に営業時間が長時間にわたるとともに、空調面積が広く、店内に冷凍・冷蔵などのショーケースを設置しているスーパマーケットやコンビニエンスストアなどに用いて好適な空調制御支援装置、空調制御装置、空調制御支援システムおよび衛生管理が厳しくなりつつある厨房や飲食店などで温湿度コントロールを行うことでＨＡＣＣＰ（危機分析重要管理点方式）に対応できる空調制御システムに関するものである。
【０００２】
【従来の技術】
従来より、例えばコンビニエンスストア（以下、コンビニと略す）では、図８に示すように、空調機１を用いて店内２の空調制御を行っている。店内２にはショーケース３が設けられている。ショーケース３は、冷凍・冷蔵機４を熱源として駆動され、冷気を発生して、庫内に陳列された商品の新鮮度を確保する。
【０００３】
空調機１としては電気やガスをエネルギー源とするヒートポンプ型の空調機が使用されている。店内２には、温度設定器５と温度センサ６が設けられており、温度設定器５からの設定温度ｔｓｐと温度センサ６からの室内温度ｔｐｖとが一致するように、ヒートポンプ型の空調機１からの店内２への給気ＳＡの温度が調整される。なお、店内２には、壁７によって仕切られた事務室８が設けられている。
【０００４】
店内２において、ショーケース３は、殆どがオープンタイプである。このため、冷凍エネルギーのうち約７０％〜９０％が漏れ出てしまい、店内の結露での凝縮潜熱、霜発生の冷凍潜熱、そして店内空気の冷却に使われてしまう。ショーケース３からの冷気漏れは、ヒートポンプ型の空調機１を使用しての冷房を助け、消費エネルギーを軽減する。しかし、ショーケース３に霜がつくので、この霜を取り除くために霜取りヒータ（デフロストヒータ）を頻繁に作動させる必要がある。霜取りヒータの使用は消費エネルギーの増大となる。
【０００５】
〔デシカント空調機〕
最近、新しいタイプの空調機として、吸湿剤を用いて空気中の湿分を取り除く除湿機能を備えたデシカント空調機が脚光を浴びている。
図９にデシカント空調機の基本原理図を示す。同図において、９はシリカゲルなどを除湿剤とする吸着式の除湿ロータ、１０は顕熱交換ロータ、１１はフィルタを含む冷温水コイル、１２は排熱利用温水コイルである。
【０００６】
〔デシカント空調機の動作：除湿冷房時〕
除湿ロータ９および顕熱交換ロータ１０は低速回転している。処理空気として導入される外気ＯＡは、除湿ロータ９を通過する際、その湿分が吸着され除湿される。すなわち、外気ＯＡの水蒸気圧が除湿ロータ９内部の水蒸気圧より高いため、平衡状態になろうとし、外気ＯＡ中の水分が移動し、除湿ロータ９の除湿剤に取り込まれる。吸着反応は、発熱反応であるので、除湿ロータ９を通過した外気ＯＡはやや温度が高い乾燥空気（６０℃程度）となる。
【０００７】
一方、空調された室からの還気ＲＡは、冷温水コイル１１を通って顕熱ロータ１０へ入る。顕熱ロータ１０では、除湿ロータ９からの除湿された外気ＯＡ（６０℃程度）と冷温水コイル１１からの冷却された還気ＲＡ（２５℃程度）との温度交換が行われる。これにより、除湿ロータ９からの外気ＯＡはやや温度の低い除湿空気ＯＡ’（３５℃程度）となり、冷温水コイル１１からの還気ＲＡはやや温度の高い再生空気ＲＡ’（５０℃程度）となる。
【０００８】
顕熱ロータ１０からの除湿空気ＯＡ’は、冷温水コイル１１において冷却され、所望の温度に調整された給気ＳＡ１（２０℃程度）とされる。また、冷温水コイル１１の手前で分岐され、冷却されずに給気ＳＡ２とされる。
顕熱ロータ１０からの再生空気ＲＡ’は、排熱利用温水コイル１２において加熱され、高温の再生空気ＲＡ”（８０℃程度）となる。この高温の再生空気ＲＡ”は、除湿ロータ９の除湿機能の再生（吸湿剤に吸着された水分の除去）に利用された後、排気ＥＡとして排出される。排熱利用温水コイル１２に利用する熱源としては、ガスコージェネレーション（ガスエンジン，ガスタービンなど）からの排熱、ソーラ、凝縮熱などの利用が試みられている。
【０００９】
〔ヒートポンプ型の空調機とデシカント空調機との併用〕
図１０にデシカント空調機を併用した空調制御システムを示す。この空調制御システムでは、ヒートポンプ型の空調機１とは別にデシカント空調機１３を設け、このデシカント空調機１３からの給気ＳＡ１を店内の中央寄りの空間に、ＳＡ２をショーケース３の近傍の空間に吹き出すようにしている。デシカント空調機１３からの給気ＳＡ１も設定温度ｔｓｐと室内温度ｔｐｖとが一致するように調整される。なお、図９において、顕熱変換ロータ１０の手前で分岐した空気をショーケース３の近傍の空間に吹き出す給気ＳＡ２とすることもある。
【００１０】
デシカント空調機１３にはガスコージェネレーション１４からの排熱を供給するようにしている。ガスコージェネレーション１４は、ガスから電気を生成するガスコージェネレーションで、生成した電気をショーケース用の冷凍・冷蔵機４や店内２の照明設備など各種の設備に供給する。
【００１１】
このようなデシカント空調機を併用したシステムとすることにより、ショーケース３の回りを中心とする店内２の湿度が下がり、ショーケース３に霜がつきにくくなり、霜取りヒータの使用回数が減る。また、店内２の空気のエンタルピーが下がり、ショーケース３からの冷気漏れと合わせて、ヒートポンプ型の空調機１を使用しての冷房に要する消費エネルギーが軽減される。
【００１２】
【発明が解決しようとする課題】
しかしながら、このデシカント空調機を併用した空調制御システムでは、霜取りヒータの使用回数や空気のエンタルピーを下げて省エネルギーを図ることができるが、湿度が低くなりすぎて、お客や従業員に不快感を与えることがあった。すなわち、湿度が低くなると、人間は寒いと感じ、快適度が低下する。
【００１３】
本発明はこのような課題を解決するためになされたもので、その目的とするところは、省エネルギーと快適性の両立を図ることのできるデシカント空調機を併用した空調制御支援装置、空調制御装置、空調制御支援システムおよび空調制御システムを提供することにある。
【００１４】
【課題を解決するための手段】
このような目的を達成するために、第１発明（請求項１に係る発明）は、ヒートポンプ型の空調機と，吸湿剤を用いて空気中の湿分を取り除く除湿機能を備えたデシカント空調機とを併用して空調制御される空調制御対象室の現在の室内熱負荷を算出する室内熱負荷算出手段と、この室内熱負荷算出手段により算出された現在の室内熱負荷を賄うようにヒートポンプ型の空調機とデシカント空調機とを併用して空調制御した場合のエネルギー消費量と空調制御対象室内の快適度との関係を示すエネルギー消費量予想曲線を、ヒートポンプ型の空調機とデシカント空調機との予め定められた運転比率毎に作成し表示するエネルギー消費量予想曲線作成表示手段と、このエネルギー消費量予想曲線作成表示手段が表示するエネルギー消費量予想曲線に対して空調制御対象室内の快適度の現在位置を明示する快適度現在位置明示手段とを設けたものである。
【００１５】
この発明によれば、空調制御対象室の現在の室内熱負荷をヒートポンプ型の空調機とデシカント空調機とを併用して空調制御した場合のエネルギー消費量と快適度との関係を示すエネルギー消費量予想曲線が、ヒートポンプ型の空調機とデシカント空調機との予め定められた運転比率（例えば、３：１、１：２、１：３）毎に作成され、表示される。また、このエネルギー消費量予想曲線に対して、空調制御対象室内の快適度の現在位置が明示される。
これにより、例えば快適度を横軸とし、エネルギー消費量の予測値を縦軸とした場合、快適度の現在位置が横軸上に明示され、この快適度の現在位置におけるエネルギー消費量予想曲線上の予測値を参照することにより、エネルギーの消費量を最小とすることのできる現時点におけるヒートポンプ型の空調機とデシカント空調機との運転比率を知ることができる。
また、快適度の現在位置を見て、快適度の設定を変更したいような場合、変更したい位置の快適度におけるエネルギー消費量予想曲線上の予測値を参照することにより、設定変更後の快適度においてエネルギーの消費量を最小とすることのできるヒートポンプ型の空調機とデシカント空調機との運転比率を知ることも可能である。
【００１６】
第２発明（請求項２に係る発明）は、第１発明の構成に加え、さらに、所望の快適度が空調制御対象室に対する設定快適度として確定された場合、その確定された快適度におけるエネルギー消費量の予測値が最も小さいエネルギー消費量予想曲線を最適エネルギー消費量予想曲線として選択し、この選択した最適エネルギー消費量予想曲線の運転比率でヒートポンプ型の空調機とデシカント空調機とを運転する空調機運転手段とを設けたものである。
この発明によれば、例えば快適度の設定を変更したいような場合、所望の快適度を空調制御対象室に対する設定快適度として確定すると、その確定された快適度におけるエネルギー消費量の予測値が最も小さいエネルギー消費量予想曲線が最適エネルギー消費量予想曲線として選択され、この選択された最適エネルギー消費量予想曲線の運転比率にヒートポンプ型の空調機とデシカント空調機との運転比率が自動的に変更される。
【００１７】
第３発明（請求項３に係る発明）は、ヒートポンプ型の空調機と，吸湿剤を用いて空気中の湿分を取り除く除湿機能を備えたデシカント空調機とを併用して空調制御される空調制御対象室の現在の室内熱負荷を算出する室内熱負荷算出手段と、この室内熱負荷算出手段により算出された現在の室内熱負荷を賄うようにヒートポンプ型の空調機とデシカント空調機とを併用して空調制御した場合のエネルギー消費量と空調制御対象室内の快適度との関係を示すエネルギー消費量予想曲線を、ヒートポンプ型の空調機とデシカント空調機との予め定められた運転比率毎に作成するエネルギー消費量予想曲線作成手段と、空調制御対象室に対して予め設定されている快適度範囲においてそのエネルギー消費量の予測値が最も小さいエネルギー消費量予想曲線を最適エネルギー消費量予想曲線として選択し、この選択した最適エネルギー消費量予想曲線の前記快適度範囲における最小予測値に対応する快適度を空調制御対象室に対する設定快適度とするとともに、最適エネルギー消費量予想曲線の運転比率でヒートポンプ型の空調機とデシカント空調機とを運転する空調機運転手段とを設けたものである。
【００１８】
この発明によれば、空調制御対象室の現在の室内熱負荷をヒートポンプ型の空調機とデシカント空調機とを併用して空調制御した場合のエネルギー消費量と快適度との関係を示すエネルギー消費量予想曲線が、ヒートポンプ型の空調機とデシカント空調機との予め定められた運転比率（例えば、３：１、１：２、１：３）毎に作成される。
そして、空調制御対象室に対して予め設定されている快適度範囲（例えば、ＰＭＶ＝−０．５〜＋０．５の範囲：ＰＭＶ（温熱快適指標））においてそのエネルギー消費量の予測値が最も小さいエネルギー消費量予想曲線が最適エネルギー消費量予想曲線として選択され、この選択された最適エネルギー消費量予想曲線の快適度範囲における最小予測値に対応する快適度が空調制御対象室に対する設定快適度とされる。また、最適エネルギー消費量予想曲線の運転比率に、ヒートポンプ型の空調機とデシカント空調機との運転比率が自動的に変更される。
【００１９】
第４発明（請求項４に係る発明）は、１日を複数の時間帯に分割した第１の時間帯では予め定められた高快適度の快適度範囲を空調制御対象室に対する所望の快適度範囲とし、１日を複数の時間帯に分割した第２の時間帯では予め定められた低快適度の快適度範囲を空調制御対象室に対する所望の快適度範囲とする快適度範囲設定手段と、この快適度範囲設定手段によって設定される所望の快適度範囲においてそのエネルギー消費量の予測値が最も小さいエネルギー消費量予想曲線を最適エネルギー消費量予想曲線として選択し、この選択した最適エネルギー消費量予想曲線の前記所望の快適度範囲における最小予測値に対応する快適度を空調制御対象室に対する設定快適度とするとともに、最適エネルギー消費量予想曲線の運転比率でヒートポンプ型の空調機とデシカント空調機とを運転する空調機運転手段とを設けたものである。
【００２０】
この発明によれば、第１の時間帯（例えば、営業時間内）では、予め定められた高快適度の快適度範囲（例えば、ＰＭＶ＝−０．５〜＋０．５の範囲）が空調制御対象室に対する所望の快適度範囲とされ、この快適度範囲においてそのエネルギー消費量の予測値が最も小さいエネルギー消費量予想曲線が最適エネルギー消費量予想曲線として選択され、この選択された最適エネルギー消費量予想曲線の前記快適度範囲（高快適度の快適度範囲）における最小予測値に対応する快適度が空調制御対象室に対する設定快適度とされる。また、最適エネルギー消費量予想曲線の運転比率に、ヒートポンプ型の空調機とデシカント空調機との運転比率が自動的に変更される。これにより、第１の時間帯では、省エネルギーと快適性の両立が図られる。
【００２１】
一方、第２の時間帯（例えば、営業時間外）では、予め定められた低快適度の快適度範囲（例えば、ＰＭＶ＝＋１〜＋２の範囲）が空調制御対象室に対する所望の快適度範囲とされ、この快適度範囲においてそのエネルギー消費量の予測値が最も小さいエネルギー消費量予想曲線が最適エネルギー消費量予想曲線として選択され、この選択された最適エネルギー消費量予想曲線の前記快適度範囲（低快適度の快適度範囲）における最小予測値に対応する快適度が空調制御対象室に対する設定快適度とされる。また、最適エネルギー消費量予想曲線の運転比率に、ヒートポンプ型の空調機とデシカント空調機との運転比率が自動的に変更される。これにより、第２の時間帯では、快適性よりも省エネルギーが優先される、
【００２２】
第５発明（請求項５に係る発明）は、センタに設けられた中央監視装置と、ヒートポンプ型の空調機と，吸湿剤を用いて空気中の湿分を取り除く除湿機能を備えたデシカント空調機とを併用して空調制御される第１〜第Ｎ（Ｎ≧２）の空調制御対象室と、この第１〜第Ｎの空調制御対象室に対して各個に設けられた第１〜第Ｎの端末装置と、中央監視装置と第１〜第Ｎの端末装置とを接続するネットワークとを備えた空調制御支援システムとし、中央監視装置に、第１〜第Ｎの空調制御対象室について、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線を、ヒートポンプ型の空調機とデシカント空調機との予め定められた運転比率毎に作成し表示するエネルギー消費量予想曲線作成表示手段と、このエネルギー消費量予想曲線作成表示手段が表示する第１〜第Ｎの空調制御対象室のエネルギー消費量予想曲線に対してその空調制御対象室内の快適度の現在位置を明示する快適度現在位置明示手段とを設けたものである。
【００２３】
この発明によれば、第１〜第Ｎの端末装置にネットワークを介して接続された中央監視装置において、第１〜第Ｎの空調制御対象室毎に、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線がヒートポンプ型の空調機とデシカント空調機との予め定められた運転比率（例えば、３：１、１：２、１：３）毎に作成され、表示される。また、この第１〜第Ｎの空調制御対象室のエネルギー消費量予想曲線に対して、その空調制御対象室内の快適度の現在位置が明示される。
【００２４】
これにより、例えば快適度を横軸とし、エネルギー消費量の予測値を縦軸とした場合、快適度の現在位置が横軸上に明示され、この快適度の現在位置における第１〜第Ｎの空調制御対象室のエネルギー消費量予想曲線上の予測値を参照することにより、現在の快適度でエネルギーの消費量を最小とすることのできる各室に対するヒートポンプ型の空調機とデシカント空調機との運転比率を知ることができる。
また、例えば快適度の設定を変更したいような場合、変更したい位置の快適度における第１〜第Ｎの空調制御対象室のエネルギー消費量予想曲線上の予測値を参照することにより、設定変更後の快適度においてエネルギーの消費量を最小とすることのできる各室に対するヒートポンプ型の空調機とデシカント空調機との運転比率を知ることができる。
【００２５】
第６発明（請求項６に係る発明）は、センタに設けられた中央監視装置と、ヒートポンプ型の空調機と，吸湿剤を用いて空気中の湿分を取り除く除湿機能を備えたデシカント空調機とを併用して空調制御される第１〜第Ｎ（Ｎ≧２）の空調制御対象室と、この第１〜第Ｎの空調制御対象室に対して各個に設けられた第１〜第Ｎの端末装置と、中央監視装置と第１〜第Ｎの端末装置とを接続するネットワークとを備えた空調制御システムとし、中央監視装置に、第１〜第Ｎの空調制御対象室について、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線を、ヒートポンプ型の空調機とデシカント空調機との予め定められた運転比率毎に作成するエネルギー消費量予想曲線作成手段と、第１〜第Ｎの空調制御対象室に対して予め設定されている第１〜第Ｎの快適度範囲においてそのエネルギー消費量の予測値が最も小さいエネルギー消費量予想曲線を第１〜第Ｎの最適エネルギー消費量予想曲線として選択し、この選択した第１〜第Ｎの最適エネルギー消費量予想曲線の第１〜第Ｎの快適度範囲における最小予測値に対応する快適度を第１〜第Ｎの空調制御対象室に対する設定快適度とするとともに、第１〜第Ｎの最適エネルギー消費量予想曲線の運転比率で第１〜第Ｎの空調制御対象室に対して各個に設けられたヒートポンプ型の空調機とデシカント空調機とを運転する空調機運転手段とを設けたものである。
【００２６】
この発明によれば、第１〜第Ｎの端末装置にネットワークを介して接続された中央監視装置において、第１〜第Ｎの空調制御対象室毎に、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線がヒートポンプ型の空調機とデシカント空調機との予め定められた運転比率（例えば、３：１、１：２、１：３）毎に作成される。
【００２７】
そして、第１〜第Ｎの空調制御対象室に対して予め設定されている第１〜第Ｎの快適度範囲（例えば、ＰＭＶ＝−０．５〜＋０．５の範囲）においてそのエネルギー消費量の予測値が最も小さいエネルギー消費量予想曲線が第１〜第Ｎの最適エネルギー消費量予想曲線として選択され、この選択された第１〜第Ｎの最適エネルギー消費量予想曲線の第１〜第Ｎの快適度範囲における最小予測値に対応する快適度が第１〜第Ｎの空調制御対象室に対する設定快適度とされる。また、第１〜第Ｎの最適エネルギー消費量予想曲線の運転比率に、第１〜第Ｎの空調制御対象室に対して設けられたヒートポンプ型の空調機とデシカント空調機との運転比率が自動的に変更される。
【００２８】
なお、第５および第６発明において、第１〜第Ｎの空調制御対象室における現在の室内熱負荷は、第１〜第Ｎの端末装置側で算出して中央監視装置へ送るようにしてもよいし、第１〜第Ｎの端末装置からデータを送って中央監視装置において算出させるようにしてもよい。
また、第５および第６発明において、第１〜第Ｎの空調制御対象室内の快適度の現在値は、第１〜第Ｎの端末装置側で計測して中央監視装置へ送るようにしてもよいし、第１〜第Ｎの端末装置からデータを送って中央監視装置において計測するようにしてもよい。
【００２９】
【発明の実施の形態】
以下、本発明を図面に基づいて詳細に説明する。図１はこの発明に係る空調制御支援装置を用いた空調制御システムの一実施の形態を示す図である。同図において、図１０と同一符号は同一或いは同等構成要素を示し、その説明は省略する。
【００３０】
この空調制御システムでは、事務室８に空調制御支援装置１５を、店内２に温度センサ６と湿度センサ２０と快適度センサ２１を、店外に外気温度センサ２２と外気湿度センサ２３を設け、温度センサ６が検出する室内温度ｔｐｖ、湿度センサ２０が検出する室内湿度ＲＨｐｖ、快適度センサ２１が検出する気流速Ｖａｉｒや輻射温度ｔｒ、外気温度センサ２２が検出する外気温度ｔｏｕｔ、外気湿度センサ２３が検出する外気湿度ＲＨｏｕｔを空調制御支援装置１５に与えるようにしている。
【００３１】
図２に空調制御支援装置１５の機能ブロック図を示す。空調制御支援装置１５は、冷気漏れ熱負荷算出部１５−１と、輻射熱負荷算出部１５−２と、外気負荷算出部１５−３と、店内熱負荷算出部１５−４と、エネルギー消費量予測曲線作成部１５−５と、ＰＭＶ算出部部１５−６と、アドバイス画面表示部１５−７と、ＰＭＶ制御部１５−８とを備えている。
【００３２】
冷気漏れ熱負荷算出部１５−１は、室内温度ｔｐｖと室内湿度ＲＨｐｖを入力とし、予め設定されている予測モデル処理プログラムＰＲ１を実行し、ショーケース３からの冷気漏れによって生じるであろう店内の熱負荷Ｑ１を算出する。
輻射熱負荷算出部１５−２は、外気温度ｔｏｕｔと室内温度ｔｐｖと輻射温度ｔｒを入力とし、予め設定されている予測モデル処理プログラムＰＲ２を実行し、輻射熱によって生じるであろう店内の熱負荷Ｑ２を算出する。
【００３３】
外気負荷算出部１５−３は、外気温度ｔｏｕｔと外気湿度ＲＨｏｕｔと室内温度ｔｐｖと室内湿度ＲＨｐｖを入力とし、予め設定されている予測モデル処理プログラムＰＲ３を実行し、外気の温湿度と店内の温湿度との差によって生じるであろう外気負荷Ｑ３を算出する。
【００３４】
店内熱負荷算出部１５−４は、冷気漏れ熱負荷算出部１５−１によって算出された熱負荷Ｑ１と、輻射熱負荷算出部１５−２によって算出された熱負荷Ｑ２と、外気負荷算出部１５−３によって算出された外気負荷Ｑ３と、店内２の大きさなどから既定値として与えられる照明熱Ｑ４および人体熱Ｑ５を入力とし、これらＱ１〜Ｑ５を加算して現在の店内熱負荷ＱＴを算出する。
【００３５】
エネルギー消費量予想曲線作成部１５−５は、店内熱負荷算出部１５−４によって算出された現在の店内熱負荷ＱＴを入力とし、現在の店内熱負荷ＱＴを賄うようにヒートポンプ型の空調機１とデシカント空調機１３とを併用して空調制御した場合のエネルギー消費量と店内２の快適度との関係を示すエネルギー消費量予想曲線を、ヒートポンプ型の空調機１とデシカント空調機１３との予め定められた運転比率毎に作成し、アドバイス画面表示部１５−７に送る。
【００３６】
なお、本実施の形態では、店内２の快適度を表す指標としてＰＭＶ（温熱快適指標：Ｐｒｅｄｉｃｔｅｄ　Ｍｅａｎ　Ｖｏｔｅ　）を用いる。ＰＭＶは、数値として−３．０から＋３．０の範囲の値をとり、−３．０は非常に寒く、＋３．０は非常に暑く感じることを意味する。快適な状態は０付近の環境である。ＰＭＶはＩＳＯ７７３０で制定され、世界各国で使用されている。人体は、気温，湿度，気流速，輻射温度の物理的因子と活動量，衣服の人的因子の複合的な反応をして、最終的に暑さ寒さを感じている。活動量、着衣量を指定し、残りの物理的因子を計測して方程式（Ｆａｎｇｅｒの方程式）に入力すると、与えられた環境のＰＭＶが求まる。
【００３７】
ＰＭＶ算出部１５−６は、室内温度ｔｐｖと、室内湿度ＲＨｐｖと、気流速Ｖａｉｒと、輻射温度ｔｒと、既定値として与えられる活動量Ｍｅｔおよび着衣量Ｉｃｌを入力とし、上述したＦａｎｇｅｒの方程式より店内２の現在のＰＭＶ（ＰＭＶｐｖ）を求め、アドバイス画面表示部１５−７およびＰＭＶ制御部１５−８に送る。ＰＭＶ制御部１５−８には、ＰＭＶの設定値（ＰＭＶｓｐ）として例えば＋０．５が与えられており、ＰＭＶ算出部１５−６から入力される現在のＰＭＶｐｖを設定値ＰＭＶｓｐとが一致するように空調機１およびデシカント空調機１３からの給気温度を調整する。
【００３８】
〔実施の形態１：運転比率のアドバイス〕
図３にアドバイス画面表示部１５−７が表示するアドバイス画面を例示する。このアドバイス画面Ｇ１には、エネルギー消費量予想曲線作成部１５−５から送られてくるエネルギー消費量予想曲線と、ＰＭＶ算出部１５−６から送られてくるＰＭＶの現在値が表示される。エネルギー消費量予想曲線は、ＰＭＶを横軸とし、エネルギー消費量を縦軸として表示される、ＰＭＶの現在値は横軸上に表示される。
【００３９】
この例では、ヒートポンプ型の空調機１とデシカント空調機１３との運転比率を３：１とした場合のエネルギー消費量予想曲線ＥＮ１と、１：２とした場合のエネルギー消費量予想曲線ＥＮ２と、１：３とした場合のエネルギー消費量予想曲線ＥＮ３とが表示されている。また、ＰＭＶの現在値（現在位置）は黒色の三角マークＭ１によって表示されている。
【００４０】
このアドバイス画面Ｇ１から、どのエネルギー消費量予想曲線を選べば、すなわちヒートポンプ型の空調機１とデシカント空調機１３とをどの運転比率で運転すれば、エネルギーの消費量を最小とすることができるかを知ることができる。
【００４１】
〔現在のＰＭＶのままでエネルギー消費量を最小とする場合〕
図３では、ＰＭＶの現在位置が＋０．５の位置にある。この場合、ＰＭＶ＝＋０．５の位置おけるエネルギー消費量予想曲線ＥＮ１〜ＥＮ３上の予測値を参照すると、エネルギー消費量予想曲線ＥＮ２上の予測値が一番小さい。したがって、エネルギー消費量予想曲線ＥＮ２の運転比率である１：２でヒートポンプ型の空調機１とデシカント空調機１３とを運転すれば、ＰＭＶ＝＋０．５としたままで、エネルギーの消費量を最小とすることができることが分かる。このアドバイスに従って、ヒートポンプ型の空調機１とデシカント空調機１３との運転比率をオペレータが手動によって変更することにより、省エネルギーと快適性の両立を図ることが可能となる。
【００４２】
〔変更後のＰＭＶにおいてエネルギー消費量を最小とする場合〕
例えば、今、ＰＭＶの現在位置を見て、ＰＭＶの設定を＋０．５から０に変更したいものとする。この場合、設定変更したいＰＭＶ＝０の位置おけるエネルギー消費量予想曲線ＥＮ１〜ＥＮ３上の予測値を参照する。この場合も、先のＰＭＶ＝＋０．５の場合と同様、エネルギー消費量予想曲線ＥＮ２上の予測値が一番小さい。したがって、エネルギー消費量予想曲線ＥＮ２の運転比率である１：２でヒートポンプ型の空調機１とデシカント空調機１３とを運転すれば、設定変更後のＰＭＶ＝０においてエネルギーの消費量を最小とすることができることが分かる。このアドバイスに従って、オペレータが手動によって、ヒートポンプ型の空調機１とデシカント空調機１３との運転比率を変更することによって、またＰＭＶ制御部１５−８へのＰＭＶの設定値を０に変更することによって、省エネルギーと快適性の両立を図ることが可能となる。
【００４３】
なお、アドバイス画面Ｇ１において、黒三角マークＭ１を画面上でクリックすると、例えばポップアップウィンドウが出現し、現在のＰＭＶの位置を２次元平面で示す図４に示すようなグラフＧ２が表示される。
【００４４】
〔実施の形態２：ＰＭＶの半自動設定、運転比率の半自動変更〕
上述した実施の形態１では、アドバイス画面Ｇ１でのアドバイスに従って、省エネルギーと快適性の両立を図るべく、ヒートポンプ型の空調機１とデシカント空調機１３との運転比率の変更をオペレータが手動によって行うものとした。これに対し、実施の形態２では、基本的にはアドバイス画面Ｇ１でのアドバイスに従うが、ヒートポンプ型の空調機１とデシカント空調機１３との運転比率の変更は画面上から自動的に行われるものとする。
【００４５】
例えば、今、ＰＭＶの設定を＋０．５から０に変更したいものとする。この場合、ＰＭＶ＝０を設定快適度として確定すると、空調制御支援装置１５は、その確定されたＰＭＶ＝０におけるエネルギー消費量の予測値が最も小さいエネルギー消費量予想曲線ＥＮ２を最適エネルギー消費量予想曲線として選択し、この選択した最適エネルギー消費量予想曲線ＥＮ２の運転比率１：２にヒートポンプ型の空調機１とデシカント空調機１３との運転比率を自動的に変更する。なお、設定快適度として確定されたＰＭＶ＝０は、ＰＭＶ制御部１５−８に自動的に設定される。
【００４６】
〔実施の形態３：ＰＭＶの自動設定、運転比率の自動変更〕
実施の形態１や２では、アドバイス画面Ｇ１を表示し、このアドバイス画面Ｇ１において運転比率の変更を支援するようにした。これに対して、実施の形態３では、図１に示した空調制御支援装置１５に代えて空調制御装置１５’を使用し、ＰＭＶの設定や運転比率の変更を自動的（完全自動）に行わせる。図６に空調制御装置１５’の機能ブロック図を示す。
【００４７】
空調制御装置１５’は、空調制御支援装置１５と同様、冷気漏れ熱負荷算出部１５−１と、輻射熱負荷算出部１５−２と、外気負荷算出部１５−３と、店内熱負荷算出部１５−４と、エネルギー消費量予測曲線作成部１５−５と、ＰＭＶ算出部部１５−６と、ＰＭＶ制御部１５−８とを備えている。空調制御装置１５’の空調制御支援装置１５と異なる点は、アドバイス画面表示部１５−７に代えて、運転比率制御部１５−９を設けている点である。運転比率制御部１５−９には、所望の快適度範囲として、ＰＭＶ＝−０．５〜＋０．５を予め設定している。また、運転比率制御部１５−９においてＰＭＶの設定値（ＰＭＶｓｐ）を求め、ＰＭＶ制御部１５−８へ与えるようにしている。
【００４８】
この空調制御装置１５’において、エネルギー消費量予想曲線作成部１５−５は、店内熱負荷算出部１５−４によって算出された現在の店内熱負荷ＱＴを入力とし、現在の店内熱負荷ＱＴを賄うようにヒートポンプ型の空調機１とデシカント空調機１３とを併用して空調制御した場合のエネルギー消費量と店内２の快適度との関係を示すエネルギー消費量予想曲線を、ヒートポンプ型の空調機１とデシカント空調機１３との予め定められた運転比率毎に作成し、運転比率制御部１５−９に送る。
【００４９】
また、ＰＭＶ算出部１５−６は、室内温度ｔｐｖと、室内湿度ＲＨｐｖと、気流Ｖａｉｒと、輻射温度ｔｒと、既定値として与えられる活動量Ｍｅｔおよび着衣量Ｉｃｌを入力とし、Ｆａｎｇｅｒの方程式より店内２の現在のＰＭＶ（ＰＭＶｐｖ）を求め、ＰＭＶ制御部１５−８に送る。
【００５０】
運転比率制御部１５−９は、設定されている快適度範囲（ＰＭＶ＝−０．５〜＋０．５）においてそのエネルギー消費量の予測値が最も小さいエネルギー消費量予想曲線を最適エネルギー消費量予想曲線として選択し、この選択した最適エネルギー消費量予想曲線の上記快適度範囲における最小予測値に対応するＰＭＶを店内２に対する設定快適度ＰＭＶｓｐとし、ＰＭＶ制御部１５−８へ送る。また、最適エネルギー消費量予想曲線の運転比率で、ヒートポンプ型の空調機１とデシカント空調機１３とを運転する。
【００５１】
例えば、エネルギー消費量予想曲線作成部１５−５が、図５に示すように、ヒートポンプ型の空調機１とデシカント空調機１３との運転比率を３：１とした場合のエネルギー消費量予想曲線ＥＮ１と、１：２とした場合のエネルギー消費量予想曲線ＥＮ２と、１：３とした場合のエネルギー消費量予想曲線ＥＮ３とを作成したとする。
【００５２】
この場合、運転比率制御部１５−９は、設定されている快適度範囲（ＰＭＶ＝−０．５〜＋０．５）Ｗ１においてそのエネルギー消費量の予測値が最も小さいエネルギー消費量予想曲線ＥＮ２を最適エネルギー消費量予想曲線として選択し、この選択した最適エネルギー消費量予想曲線ＥＮ２の快適度範囲Ｗ１における最小予測値に対応するＰＭＶ＝−０．５を店内２に対する設定快適度ＰＭＶｓｐとし、ＰＭＶ制御部１５−８へ送る。また、最適エネルギー消費量予想曲線ＥＮ２の運転比率１：２で、ヒートポンプ型の空調機１とデシカント空調機１３とを運転する。これにより、実施の形態１や２のような画面上でのアドバイスを行うことなく、省エネルギーと快適性の両立が自動的に図られる。
【００５３】
なお、この実施の形態３では、所望の快適度範囲としてＰＭＶ＝−０．５〜＋０．５を運転比率制御部１５−９へ設定するようにしたが、ＰＭＶ＝０として設定するようにしてもよい。この場合、運転比率制御部１５−９は、エネルギー消費量予想曲線ＥＮ３を最適エネルギー消費量予想曲線として選択し、この選択した最適エネルギー消費量予想曲線ＥＮ３の快適度範囲（ＰＭＶ＝０）における最小予測値に対応するＰＭＶ（ＰＭＶ＝０）を店内２に対する設定快適度ＰＭＶｓｐとし、ＰＭＶ制御部１５−８へ送る。また、最適エネルギー消費量予想曲線ＥＮ３の運転比率１：３で、ヒートポンプ型の空調機１とデシカント空調機１３とを運転する。このように、所望の快適度範囲としてＰＭＶの固定値を設定する場合もあり、本発明で言う快適度範囲はこのような固定値も含むものとする。
【００５４】
〔実施の形態４：営業時間内、営業時間外〕
実施の形態３では、所望の快適度範囲としてＰＭＶ＝−０．５〜＋０．５を運転比率制御部１５−９へ設定するようにした。１日中、ＰＭＶ＝−０．５〜＋０．５として設定した場合、営業時間（例えば、７：００〜２３：００）だけではなく、営業時間外（例えば、２３：００〜７：００）においても、省エネルギーと快適性の両立が図られる。しかし、営業時間外は、お客がいないので、快適性を満足させる必要はない。
【００５５】
そこで、実施の形態４では、営業時間内では、ＰＭＶ＝−０．５〜＋０．５（高快適度の快適度範囲）を所望の快適度範囲として運転比率制御部１５−９に設定し、営業時間外では、ＰＭＶ＝＋１〜＋２（低快適度の快適度範囲）を所望の快適度範囲として運転比率制御部１５−９に設定する。
【００５６】
これにより、営業時間内では、図５に示されるように、ＰＭＶ＝−０．５〜＋０．５の快適度範囲Ｗ１においてそのエネルギー消費量の予測値が最も小さいエネルギー消費量予想曲線ＥＮ２が最適エネルギー消費量予想曲線として選択され、この選択された最適エネルギー消費量予想曲線ＥＮ２の快適度範囲Ｗ１における最小予測値に対応するＰＭＶ＝−０．５が店内２に対する設定快適度ＰＭＶｓｐとされる。また、最適エネルギー消費量予想曲線ＥＮ２の運転比率１：２で、ヒートポンプ型の空調機１とデシカント空調機１３とが運転される。これにり、営業時間内では、省エネルギーと快適性の両立が図られる。
【００５７】
これに対して、営業時間外では、図５に示されるように、ＰＭＶ＝＋１〜＋２の快適度範囲Ｗ２においてそのエネルギー消費量の予測値が最も小さいエネルギー消費量予想曲線ＥＮ３が最適エネルギー消費量予想曲線として選択され、この選択された最適エネルギー消費量予想曲線ＥＮ３の快適度範囲Ｗ２における最小予測値に対応するＰＭＶ＝＋２が店内２に対する設定快適度ＰＭＶｓｐとされる。また、最適エネルギー消費量予想曲線ＥＮ３の運転比率１：３で、ヒートポンプ型の空調機１とデシカント空調機１３とが運転される。これにより、営業時間外では、快適性よりも省エネルギーが優先される。
【００５８】
営業時間外では、ヒートポンプ型の空調機１とデシカント空調機１３との運転比率が１：３とされることにより、すなわちデシカント空調機１３の運転比率が高められることにより、ショーケース３を中心とする湿度の低下が図られ、営業時間内よりもショーケース３に霜がつきにくくなる。従って、霜取りヒータの作動回数が営業時間中よりもさらに削減され、さらなる省エネルギーが図られる。
【００５９】
なお、上述においては、１日の時間帯を営業時間内と営業時間外に分けたが、２４時間営業のコンビニなどでは、２４時間全てが営業時間である。このような場合、お客の数が少なくなる時間帯を低快適度の時間帯とし、お客の数が多くなる時間帯を高快適度の時間帯とするようにしてもよい。
【００６０】
〔実施の形態５：遠隔地からの空調制御支援システム〕
実施の形態１では、コンビニに空調制御支援装置１５を設け、この空調制御支援装置１５の画面上で、その店内２のデシカント空調機１３を併用した空調制御の支援を行うようにした。すなわち、コンビニ毎に、事務室８内で、オペレータが支援を受けるものとした。これに対し、実施の形態５では、図７に示すように、中央監視装置２４をセンタに設け、このセンタに設けられた中央監視装置２４の画面上で、遠隔地に分散するコンビニの店内２−１〜２−Ｎのデシカント空調機１３−１〜１３−Ｎを併用した空調制御の支援を行うようにする。
【００６１】
このシステムでは、コンビニ毎に端末装置２５−１〜２５−Ｎを設け、この端末装置２５−１〜２５−Ｎと中央監視装置２４とをネットワーク２６を介して接続する。また、端末装置２５−１〜２５−Ｎからコンビニ毎に、室内温度ｔｐｖ，室内湿度ＲＨｐｖ，外気温度ｔｏｕｔ，外気湿度ＲＨｏｕｔ、輻射温度ｔｒ，気流速Ｖａｉｒなどの計測データ、活動量Ｍｅｔや着衣量Ｉｃｌなどの設定値など情報を送る。
【００６２】
中央監視装置２４では、端末装置２５−１〜２５−Ｎから送られてくる情報に基づいて、コンビニの店内２−１〜２−Ｎの店内熱負荷ＱＴ１〜ＱＴＮを算出する。また、コンビニの店内２−１〜２−ＮのＰＭＶの現在値を算出する。そして、コンビニ毎に、図３に示したと同様のアドバイス画面Ｇ１を作成し、表示する。このアドバイス画面Ｇ１でのアドバイスに従って、管理者がＰＭＶの設定や運転比率の変更を手動で行うことによって、遠隔地に分散する全てのコンビニに対し省エネルギーと快適性の両立を図ることが可能となる。
【００６３】
なお、この中央監視装置２４を使用した遠隔地からの空調制御支援システムにおいても、実施の形態２と同様にして、コンビニ毎に、中央監視装置２４側からＰＭＶの半自動設定および運転比率の半自動変更を行わせるようにしてもよい。
また、実施の形態３や４と同様にして、中央監視装置２４側から、コンビニ毎に、ＰＭＶの自動設定や運転比率の自動変更（完全自動）を行わせるようにしてもよい。
【００６４】
また、この実施の形態５では、端末装置２５−１〜２５−Ｎから中央監視装置２４へ情報を送り、中央監視装置２４においてコンビニの店内２−１〜２−Ｎの店内熱負荷ＱＴ１〜ＱＴＮを算出するようにしたが、端末装置２５−１〜２５−Ｎ側で算出して中央監視装置２４へ送るようにしてもよい。
また、この実施の形態５では、端末装置２５−１〜２５−Ｎから中央監視装置２４へ情報を送り、コンビニの店内２−１〜２−ＮにおけるＰＭＶの現在値を算出するようにしたが、端末装置２５−１〜２５−Ｎ側で算出して中央監視装置２４へ送るようにしてもよい。
【００６５】
また、上述した実施の形態１〜５では、空調制御対象室をコンビニの店内として説明したが、スーパマーケットなどの店内にも同様にして適用することが可能であり、コンビニやスーパマーケットの店内への適用に限られるものでないことは言うまでもない。
【００６６】
なお、コンビニやスーパーマーケットでは、夏場、出入り口付近で外気温度と店内温度との差があまり大きくなると、来店直後の客が低温度ショックを受ける虞れがある。出入り口付近の外気温度と店内温度との差を例えば５〜６℃以下に抑えると低温度ショックが和らげられることが知られている。そこで、空調機１でコンビニの店内２の空調制御を行う場合、出入り口付近に温度センサを設け、また空調機１からの給気の吹出量を調整するＶＡＶ（可変給気量調整ユニット）を設け、ＶＡＶからの給気温度の調整によって出入り口付近の外気温度と店内温度との差を５〜６℃以下に抑える。
【００６７】
【発明の効果】
以上説明したことから明らかなように本発明によれば、第１発明では、空調制御対象室の現在の室内熱負荷をヒートポンプ型の空調機とデシカント空調機とを併用して空調制御した場合のエネルギー消費量と快適度との関係を示すエネルギー消費量予想曲線がヒートポンプ型の空調機とデシカント空調機との予め定められた運転比率毎に作成され表示されるので、また、このエネルギー消費量予想曲線に対して空調制御対象室内の快適度の現在位置が明示されるので、快適度の現在位置におけるエネルギー消費量予想曲線上の予測値を参照することにより、エネルギーの消費量を最小とすることのできる現時点におけるヒートポンプ型の空調機とデシカント空調機との運転比率を知ることが可能となり、省エネルギーと快適性の両立を図ることができるようになる。
また、快適度の現在位置を見て、快適度の設定を変更したいような場合、変更したい位置の快適度におけるエネルギー消費量予想曲線上の予測値を参照することにより、設定変更後の快適度においてエネルギーの消費量を最小とすることのできるヒートポンプ型の空調機とデシカント空調機との運転比率を知ることも可能であり、変更後の快適度においても、省エネルギーと快適性の両立を図ることができるようになる。
【００６８】
第２発明では、設定快適度を確定すると、ヒートポンプ型の空調機とデシカント空調機との運転比率が自動的に変更されるものとなり、運転比率の設定の手間が省け、オペレータの負担が軽減される。
第３発明では、空調制御対象室に対して予め設定されている快適度範囲においてそのエネルギー消費量の予測値が最も小さいエネルギー消費量予想曲線が最適エネルギー消費量予想曲線として選択され、この選択された最適エネルギー消費量予想曲線の快適度範囲における最小予測値に対応する快適度が空調制御対象室に対する設定快適度とされ、また最適エネルギー消費量予想曲線の運転比率にヒートポンプ型の空調機とデシカント空調機との運転比率が自動的に変更されるものとなり、すなわち快適度の自動設定と運転比率の自動変更（完全自動）が行われるものとなり、オペレータに負担をかけることなく、省エネルギーと快適性の両立が図られるようになる。
【００６９】
第４発明では、第１の時間帯（例えば、営業時間内）では、予め定められた高快適度の快適度範囲（例えば、ＰＭＶ＝−０．５〜＋０．５の範囲）が空調制御対象室に対する所望の快適度範囲とされ、第２の時間帯（例えば、営業時間外）では、予め定められた低快適度の快適度範囲（例えば、ＰＭＶ＝＋１〜＋２の範囲）が空調制御対象室に対する所望の快適度範囲とされ、第１の時間帯では省エネルギーと快適性の両立が図られる一方、第２の時間帯では快適性よりも省エネルギーが優先されるものとなって、空調制御対象室の使用状況に応じた合理的な空調制御を行われる。
【００７０】
第５発明では、第１〜第Ｎの端末装置にネットワークを介して接続された中央監視装置において、第１〜第Ｎの空調制御対象室毎に、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線がヒートポンプ型の空調機とデシカント空調機との予め定められた運転比率毎に作成され表示されるので、また、この第１〜第Ｎの空調制御対象室のエネルギー消費量予想曲線に対してその空調制御対象室内の快適度の現在位置が明示されるので、各地に分散するコンビニなどの店内のデシカント空調機を併用した空調制御の支援を一括して行い、総合的に省エネルギーを図ることができるようになる。また、オペレータを空調制御対象室に配備する必要もないので、人件費も削減することが可能である。
【００７１】
第６発明では、第１〜第Ｎの端末装置にネットワークを介して接続された中央監視装置において、第１〜第Ｎの空調制御対象室毎に、現在の室内熱負荷を賄うようにその空調制御対象室に対して設けられたヒートポンプ型の空調機とデシカント空調機とを併用して空調制御した場合のエネルギー消費量とその室の快適度との関係を示すエネルギー消費量予想曲線がヒートポンプ型の空調機とデシカント空調機との予め定められた運転比率毎に作成され、第１〜第Ｎの空調制御対象室に対して予め設定されている第１〜第Ｎの快適度範囲においてそのエネルギー消費量の予測値が最も小さいエネルギー消費量予想曲線が第１〜第Ｎの最適エネルギー消費量予想曲線として選択され、この選択された第１〜第Ｎの最適エネルギー消費量予想曲線の第１〜第Ｎの快適度範囲における最小予測値に対応する快適度が第１〜第Ｎの空調制御対象室に対する設定快適度とされ、また、第１〜第Ｎの最適エネルギー消費量予想曲線の運転比率に第１〜第Ｎの空調制御対象室に対して設けられたヒートポンプ型の空調機とデシカント空調機との運転比率が自動的に変更されるものとなり、すなわち快適度の自動設定と運転比率の自動変更（完全自動）が行われるものとなり、センタの管理者に負担をかけることなく、全ての空調制御対象室においてネルギーと快適性の両立が図られるようになる。
【図面の簡単な説明】
【図１】本発明に係る空調制御支援装置を用いた空調制御システムの一実施の形態を示す図である。
【図２】この空調制御システムに使用する空調制御支援装置の機能ブロック図である。
【図３】この空調制御支援装置のディスプレイ上に表示されるアドバイス画面を例示する図である。
【図４】このアドバイス画面において黒三角マークをクリックすることによって現れるグラフを示す図である。
【図５】エネルギー消費量予想曲線作成部が作成するエネルギー消費量予測曲線を例示する図である。
【図６】空調制御支援装置に代えて使用する空調制御装置の機能ブロック図である。
【図７】遠隔地からの空調制御支援システムの一例を示すシステム構成図である。
【図８】ヒートポンプ型の空調機のみを使用した従来の空調制御システムを示す図である。
【図９】デシカント空調機の基本原理を説明する図である。
【図１０】デシカント空調機を併用した従来の空調制御システムを示す図である。
【符号の説明】
１（１−１〜１−Ｎ）…ヒートポンプ型の空調機、２（２−１〜２−Ｎ）…店内、３…ショーケース、４…ショーケース用の冷凍・冷蔵機、６…温度センサ、８…事務室、１３（１３−１〜１３−Ｎ）…デシカント空調機、１４…ガスコージェネレーション、１５…空調制御支援装置、１５’…空調制御装置、１５−１…冷気漏れ熱負荷算出部、１５−２…輻射熱負荷算出部、１５−３…外気負荷算出部、１５−４…店内熱負荷算出部、１５−５…エネルギー消費量予測曲線作成部、１５−６…ＰＭＶ算出部部、１５−７…アドバイス画面表示部、１５−８…ＰＭＶ制御部、１５−９…運転比率制御部、２０…湿度センサ、２１…快適度センサ、２２…外気温度センサ、２３…外気湿度センサ、ＥＮ１〜ＥＮ３…エネルギー消費量予測曲線、Ｇ１…アドバイス画面、Ｍ１…黒三角マーク、Ｗ１…高快適度の快適度範囲、Ｗ２…低快適度の快適度範囲、２５−１〜１５−Ｎ…端末装置、２６…ネットワーク、２４…中央監視装置。
【図１】
2004060978.tif 000003
【図２】
2004060978.tif 000004
【図３】
2004060978.tif 000005
【図４】
2004060978.tif 000006
【図５】
2004060978.tif 000007
【図６】
2004060978.tif 000008
【図７】
2004060978.tif 000009
【図８】
2004060978.tif 000010
【図９】
2004060978.tif 000011
【図１０】
2004060978.tif 000012